【手続補正書】
【提出日】平成21年12月8日(2009.12.8)
【手続補正１】
【補正対象書類名】明細書
【補正対象項目名】０００８
【補正方法】変更
【補正の内容】
【０００８】
複数の実施態様が開示されるが、本発明のさらなる他の実施態様が、本発明の例証とな
る実施態様を示し、かつ記載する以下の詳細な説明から当業者に明らかになるであろう。
従って、図面及び詳細な説明は、性質が例証的と見なされるべきであり、限定的とみなさ
れるべきでない。
（項目１）
埋め込み型医療装置を低電力状態から起動させる方法であって、
起動フィールド発生器と第１の通信モジュールとを含む第１の埋め込み医療装置を提供
することと、
電池と、起動フィールドを検出するために動作可能な起動センサと、生理的センサと、
制御モジュールと、第２の通信モジュールとを含む、当初低電力状態である第２の埋め込
み医療装置を提供することと、
前記起動フィールドの存在を検出することと、
前記起動フィールドの存在に応答して、前記制御モジュールを低電力状態から活動状態
に変化させることと、少なくとも１つの生理的パラメータの測定値が、前記第２の通信モ
ジュールを介して前記第１の埋め込み装置に送信されるようにすることとを含む方法。
（項目２）
前記第２の通信モジュールは音響通信に適し、かつ前記生理的センサは圧力センサを含
み、かつ前記少なくとも１つの生理的パラメータは肺動脈血圧である項目１に記載の方
法。
（項目３）
前記第１の埋め込み装置の第１誘導コイルを、前記第２の埋め込み装置の第２誘導コイ
ルに誘導結合することと、
電磁場を発生させるために、前記第１誘導コイルに交流を流すこととを更に含み、
前記検出ステップが、前記第２誘導コイルによって電磁場を検出することと、前記２つ
の誘導コイルの両端に出力電圧を発生させることとを含む項目２に記載の方法。
（項目４）
前記検出ステップ前の予定時間に、前記起動センサを低電力状態から活動状態に変化さ
せるステップを更に含む項目２に記載の方法。
（項目５）
起動フィールドが存在しない場合に、所定の時間間隔後に、前記起動センサを低電力状
態に戻すステップを更に含む項目４に記載の方法。
（項目６）
前記起動フィールドが磁場であり、かつ前記検出ステップが前記磁場の存在を感知する
ことを含む項目５に記載の方法。
（項目７）
前記起動フィールドが電気的励磁電流を特徴とする電場であり、かつ前記検出ステップ
が前記電気的励磁電流の存在又は不存在を検出することを含む項目５に記載の方法。
（項目８）
埋め込み型医療装置をスリープ状態から起動させるシステムであって、
起動フィールドを発生させるために動作可能な起動フィールド発生器と、第１の通信モ
ジュールとを含む一次埋め込み型装置と、
サテライト埋め込み型装置とを含むシステムであって、そのサテライト埋め込み型装置
が、
制御モジュールと、
第２の通信モジュールと、
前記起動フィールドを検出する手段と
を含み、
前記制御モジュール及び前記第２の通信モジュールが、スリープ状態と活動状態との間
を変化するように構成される、システム。
（項目９）
前記サテライト埋め込み型装置が、少なくとも１つの生理的パラメータを測定するよう
に構成された生理的センサを更に含む項目８に記載のシステム。
（項目１０）
前記第２の通信モジュールは、音響通信に適し、かつ更に前記生理的センサが圧力セン
サを含み、かつ前記少なくとも１つの生理的パラメータが肺動脈血圧である項目９に記
載のシステム。
（項目１１）
前記起動フィールド発生器が第１誘導コイルを含み、かつ前記起動フィールドが電磁場
であり、かつ前記起動フィールドを検出する手段が、前記第１誘導コイルに誘導結合され
た第２誘導コイルを含む項目８に記載のシステム。
（項目１２）
前記起動フィールド発生器が磁場を発生させるように構成され、かつ前記起動フィール
ドを検出する手段が磁場センサを含む項目８に記載のシステム。
（項目１３）
前記サテライト埋め込み型医療装置は、第１の所定の時間間隔で、適応した前記起動フ
ィールドを検出する手段を、スリープ状態から、前記起動フィールドを検出する手段が前
記起動フィールドを検出するために動作可能である活動状態に、変化させるために動作可
能なタイマ回路を更に含む項目８に記載のシステム。
（項目１４）
前記タイマ回路が、第２の所定の時間間隔を通過すると、前記起動フィールドを検出す
る手段をスリープ状態に戻すように更に構成される項目１３に記載のシステム。
（項目１５）
前記起動フィールド発生器が磁場発生器を含み、かつ前記起動フィールドを検出する手
段が磁場センサを含む項目１４に記載のシステム。
（項目１６）
前記起動フィールド発生器が生理的副閾値励磁電流を発生させ、かつ前記起動フィール
ドを検出する手段が前記励磁電流を検出するように構成される電場センサを含む項目１
４に記載のシステム。
【手続補正２】
【補正対象書類名】特許請求の範囲
【補正対象項目名】全文
【補正方法】変更
【補正の内容】
【特許請求の範囲】
【請求項１】
埋め込み型医療装置を低電力状態から起動させる方法であって、
起動フィールド発生器と第１の通信モジュールとを含む第１の埋め込み型医療装置を提供することであって、前記起動フィールド発生器は、電磁的起動フィールドを発生するように適合されている、ことと、
第２の埋め込み型医療装置を提供することであって、前記第２の埋め込み型医療装置は、電池と、前記電磁的起動フィールドを検出するために動作可能な起動センサと、生理的センサと、制御モジュールと、前記第１の埋め込み型医療装置と音響通信するように構成された第２の通信モジュールとを含み、前記第２の埋め込み型医療装置は、当初低電力状態であり、前記低電力状態において、前記起動センサのセンサ回路のみが、前記起動センサからの出力電圧を感知し処理するためにエネルギー供給され、電力供給される、ことと、
前記起動センサによって前記第１の前記埋め込み型医療装置によって発生された前記電磁的起動フィールドの存在を検出することと、
前記電磁的起動フィールドの存在の検出に応答して、前記電池に結合された電力制御回路を促して、前記制御モジュールおよび前記通信モジュールに電力を供給させ、前記制御モジュールおよび前記通信モジュールを低電力状態から活動状態に変化させることと、
前記活動状態において、前記制御モジュールが、前記生理的センサを活性にして、少なくとも１つの生理的パラメータを感知させ、前記第２の通信モジュールに、前記少なくとも１つの感知された生理的パラメータを前記第１の埋め込み型医療装置に音響的に送信させる、方法。
【請求項２】
前記生理的センサは圧力センサを含み、かつ前記少なくとも１つの生理的パラメータは肺動脈血圧である、請求項１に記載の方法。
【請求項３】
前記第１の埋め込み型医療装置の第１誘導コイルを、前記第２の埋め込み装置の第２誘導コイルに誘導結合することと、
電磁場を発生させるために、前記第１誘導コイルに交流を流すことと
を更に含み、
前記検出するステップが、前記第２誘導コイルによって前記電磁場を検出することと、前記第２の誘導コイルの両端に出力電圧を発生させることとを含む、請求項１に記載の方法。
【請求項４】
前記検出するステップ前の予定時間に、前記起動センサを低電力状態から活動状態に変化させるステップを更に含む、請求項２に記載の方法。
【請求項５】
起動フィールドが存在しない場合に、所定の時間間隔後に、前記起動センサを低電力状態に戻すステップを更に含む、請求項４に記載の方法。
【請求項６】
前記起動フィールドが磁場であり、かつ前記検出ステップが前記磁場の存在を感知することを含む、請求項５に記載の方法。
【請求項７】
前記起動フィールドが電気的励磁電流を特徴とする電場であり、かつ前記検出ステップが前記電気的励磁電流の存在又は不存在を検出することを含む、請求項５に記載の方法。
【請求項８】
埋め込み型医療装置をスリープ状態から起動させるシステムであって、
電磁的起動フィールドを発生させるために動作可能な起動フィールド発生器と、第１の通信モジュールとを含む一次埋め込み型装置と、
サテライト埋め込み型装置と
を含むシステムであって、
そのサテライト埋め込み型装置は、
制御モジュールと、
体内の内腔の中で血圧を感知するように構成されている圧力センサと、
前記第１の通信モジュールと音響通信するように構成された第２の通信モジュールと、
前記電磁的起動フィールドを検出する手段と
を含み、
前記制御モジュールおよび前記第２の通信モジュールが、前記電磁的起動フィールドに応答して、スリープ状態と活動状態との間を変化するように構成されている、システム。
【請求項９】
前記起動フィールド発生器が第１誘導コイルを含み、前記起動フィールドを検出する手段が、前記第１誘導コイルに誘導結合された第２誘導コイルを含む、請求項８に記載のシステム。
【請求項１０】
前記起動フィールド発生器が磁場を発生させるように構成され、かつ前記起動フィールドを検出する手段が磁場センサを含む、請求項８に記載のシステム。
【請求項１１】
前記サテライト埋め込み型医療装置は、タイマ回路を更に含み、該タイマ回路は、第１の所定の間隔で、前記起動フィールドを検出する手段を、スリープ状態から、前記起動フィールドを検出する手段が前記起動フィールドを検出するために動作可能である活動状態に、変化させるように適合させるように動作可能である、請求項８に記載のシステム。
【請求項１２】
前記タイマ回路が、第２の所定の時間間隔を通過すると、前記起動フィールドを検出する手段をスリープ状態に戻すように更に構成されている、請求項１１に記載のシステム。
【請求項１３】
前記起動フィールド発生器が磁場発生器を含み、かつ前記起動フィールドを検出する手段が磁場センサを含む、請求項１２に記載のシステム。
【請求項１４】
前記起動フィールド発生器が生理的副閾値励磁電流を発生させるように構成されており、かつ前記起動フィールドを検出する手段が前記励磁電流を検出するように構成されている電場センサを含む、請求項１２に記載のシステム。